(57)【要約】【課題】濾目穴に残滓が付着するのを抑えて、洗浄水の循環水量減少を防止することを目的とする。【解決手段】この洗浄槽内に洗浄水を噴射する洗浄ノズルと、洗浄槽の下方に設けられる洗浄水の貯留部と、この貯留部の流出部位から流出する洗浄水を吸い込んで前記洗浄ノズルに加圧供給する洗浄ポンプと、流出部位に備えられ、かつ洗浄水を濾して滓を取リ分ける細かな濾目穴を有する残滓フイルタとを備える食器洗い機にあって、貯留部の底に近いところを残滓フイルタに向かって流れる洗浄水の主流に対して、残滓フイルタの手前側が下に、先側が上になるように残滓フイルタは傾けて設けられ、かつ残滓フイルタの中央に滓が溜まる落ち込み凹部を有することを特徴とする。【選択図】  図３
2005270246.tif 000002
【特許請求の範囲】
【請求項１】
食器かごが内置される洗浄槽と、この洗浄槽内に洗浄水を噴射する洗浄ノズルと、洗浄槽の下方に設けられる洗浄水の貯留部と、この貯留部の流出部位から流出する洗浄水を吸い込んで前記洗浄ノズルに加圧供給する洗浄ポンプと、前記流出部位に備えられ、かつ洗浄水を濾して滓を取リ分ける細かな濾目穴を有する残滓フイルタとを備える食器洗い機にあって、
前記貯留部の底に近いところを前記残滓フイルタに向かって流れる洗浄水の主流に対して、記記残滓フイルタの手前側が下に、先側が上になるように残滓フイルタは傾けて設けられ、かつ残滓フイルタのほぼ中央に滓が溜まる落ち込み凹部を有することを特徴とする食器洗い機。
【請求項２】
請求項１に記載された食器洗い機において、
前記流出部位は、前記洗浄ポンプに吸い込まれる洗浄水が流れ出る流出口をほぼ中央に有し、
前記流出口は、前記落ち込み凹部の下側に位置し、かつ落ち込み凹部と流出口が向き合っていることを特徴とする食器洗い機。
【請求項３】
請求項２に記載された食器洗い機において、
前記流出部位の底が前記流出口に向かって下がるように傾斜していることを特徴とする食器洗い機。
【請求項４】
請求項１に記載された食器洗い機において、
前記落ち込み凹部を除く残滓フイルタの濾目穴の総面積が流出口の流通面積より大きいことを特徴とする食器洗い機。
【請求項５】
請求項２に記載された食器洗い機において、
前記流出口の流通総面積をＳ1とし、
前記落ち込み凹部の底部周縁と前記流出口との上下隙間によって形成される環状の周縁流通総面積をＳ２とし、
前記周縁流通総面積Ｓ２を前記流通総面積Ｓ1よりも大きく設けたことを特徴とする食器洗い機。
【請求項６】
請求項１に記載された食器洗い機において、
前記残滓フイルタに浮き上がり防止用の錘を設けたことを特徴とする食器洗い機。
【発明の詳細な説明】
【技術分野】
【０００１】
本発明は、残菜の補集効率を増加し、かつ洗浄水の通りを良くした残滓フイルタを備えた食器洗い機に関する。
【背景技術】
【０００２】
従来の食器洗い機は、特開２００３−２８４６６７号公報（特許文献１）に示すように、食器かごが内置される洗浄槽と、この洗浄槽内に洗浄水を噴射する洗浄ノズルと、洗浄槽の下方に設けられる洗浄水の貯留部と、この貯留部に溜まる洗浄水を吸い込んで前記洗浄ノズルに加圧供給する洗浄ポンプと、前記貯留部に備える残滓フイルタを備えた構成を有する。
【０００３】
【特許文献１】特開２００３−２８４６６７号公報
【発明の開示】
【発明が解決しようとする課題】
【０００４】
残滓フイルタは、表面に直径が１．５ｍｍ〜２ｍｍ程度の濾目穴を数多く有する。残菜等の固形分の滓は濾目穴の径より大きく、通過出来ないようになっている。このため、固形分でもワカメのように表面積の大きい固形分については残滓フイルタの表面に均一に付着すると、洗浄水が通過する面積が減少し、循環水量が減少し洗浄率が低下する。このため、残滓の固形分があっても残滓フイルタの洗浄水の通りを低下させず、循環水量が低下しないようにする必要がある。
【０００５】
本発明は、上記の問題に鑑み、濾目穴に残滓が付着するのを抑えて、洗浄水の循環水量減少を防止することを目的とする。
【課題を解決するための手段】
【０００６】
本発明は、この洗浄槽内に洗浄水を噴射する洗浄ノズルと、洗浄槽の下方に設けられる洗浄水の貯留部と、この貯留部の流出部位から流出する洗浄水を吸い込んで前記洗浄ノズルに加圧供給する洗浄ポンプと、流出部位に備えられ、かつ洗浄水を濾して滓を取リ分ける細かな濾目穴を有する残滓フイルタとを備える食器洗い機にあって、貯留部の底に近いところを残滓フイルタに向かって流れる洗浄水の主流に対して、残滓フイルタの手前側が下に、先側が上になるように残滓フイルタは傾けて設けられ、かつ残滓フイルタの中央に滓が溜まる落ち込み凹部を有することを特徴とする。
【発明の効果】
【０００７】
残滓が残滓フイルタの落ち込み凹部に堆積するので、それ以外の平面な濾過部に付着する残滓が少なくなり、目詰まりが大幅に減少し、洗浄水の循環水量の減少を防止できた。
【発明を実施するための最良の形態】
【０００８】
本発明の実施形態に係わる実施例について、図１〜図７に沿って説明する。
【０００９】
まず、図１〜図４を引用して食器洗い機の概要を述べる。
【００１０】
食器洗い機は、本体外枠１の内部に洗浄槽２が備わる。本体外枠１は、ステンレス等の鋼板で、洗浄槽２は耐熱性の合成樹脂で形成されている。本体外枠１の前面側には、図示していないが、洗浄槽２の前側に設けた開口部を開け閉めする上側扉体および下側扉体が備わる。
【００１１】
洗浄槽２の下部には、洗浄水を噴射するところの回転自在なる洗浄ノズル３が備わる。洗浄ノズル３は噴射孔４を有し、この噴射孔４より噴射する洗浄水によって、洗浄槽２に収納する食器が洗浄される。洗浄ノズル３は、噴射孔４から噴射する洗浄水の反動で回転する。
【００１２】
洗浄槽２には、洗浄ノズル３の上側に食器かご（図示せず）が備えられ、この食器かごに食器が収納される。
【００１３】
本体外枠１の前側下部には、フロントパネル５が設けられる。このフロントパネル５には、食器洗い機の運転を操作したり、制御したりする各種の制御装置が備わる。
【００１４】
洗浄槽２の下方である底には、洗浄水が溜まる貯留部６が設けられる。この貯留部６は、左側から手前側に亘ってＬ形の窪みになっている。洗浄槽２の底は、貯留部６のところが窪みになって低く、前記洗浄ノズル３が設けられる奥底側のところを高くした構成になっている。
【００１５】
貯留部６には、左側の部位に取り外し自在なる除菌カセット７が備わる。貯留部６の手前側には、右側部位を除いて加熱ヒータ８が備わる。加熱ヒータ８は、ヒータカバー９で上側から覆われる。ヒータカバー９は、多数の通気穴１０を有する。
【００１６】
加熱ヒータ８は、洗浄槽２の底部面積のかなりの部分を占める大きな部品である。しかも、電源回路側と接続しなければならない。手前側の貯留部６は、スペースが大きく加熱ヒータ８が収まる。洗浄槽２の開口部側であるので、電源回路側との接続作業もし易いのである。
【００１７】
貯留部６の手前側の右側部位は、洗浄水が流れ出る流出部位２０になる。貯留部６は、流出部位２０に向け僅かに傾斜する下り勾配になっている。この下り勾配により、流出部位２０に洗浄水が流れ易くしている。
【００１８】
流出部位２０は、ほぼ中央に洗浄水が流れ出る流出口２１を有する。流出部位２０の低は、流出口２１に向かって下がるように傾斜している。流出口２１は格子２２を有し、異物の流入防止をしている。
【００１９】
流出口２１の下方は、吸い込み通水ダクト（図示せず）を介して洗浄ポンプ（図示せず）
の吸い込み側に連通している。洗浄ポンプの吐出側は、ノズル通水ダクト２３に連通する。洗浄ノズル３には、ノズル通水ダクト２３を介して洗浄ポンプにより加圧された高圧の洗浄水が供給され、噴射孔４から勢い良く洗浄水が噴射される。
【００２０】
次に本発明の主要部である残滓フイルタに関して図５〜図８を加えて説明する。
【００２１】
残滓フイルタ３０は、図４に示すフイルタ支持部３１に取り外し自在に支持される。この残滓フイルタ３０が置かれるところは、洗浄槽２の前側（開口部）であるので、上／下側扉体を開いて容易に取り外しできる。食器かごの下方に置かれているので、食器かごを移動させずに残滓フイルタ３０の着脱ができる。
【００２２】
フイルタ支持部３１は、左側（洗浄水の流れ方向に対して手前側）が下で、右側（洗浄水の流れ方向に対して先側）が上になる傾斜に勾配になっている。このため、残滓フイルタ３０は、図３に示すように後述する洗浄水の主流に対して手前側を下に、先側が上になるように傾きをもって置かれる。
【００２３】
残滓フイルタ３０は、多数の濾目穴を有するステンレスの鋼板で形成する。板厚が、０．５ｍｍ程度の薄いステンレスの鋼板を用いる。濾目穴の直径は１．５ｍｍ程度の小さな穴、濾目穴の間隔は、２ｍｍ程度の小さなピッチで多数形成される。濾目穴は、プレス加工によって形成する。
【００２４】
残滓フイルタ３０は、全体の形状が矩形で、ほぼ中央に落ち込み凹部３１を有する。落ち込み凹部３１は、縦／横の巾が５０ｍｍ程度の矩形形状を有し、深さが１５ｍｍ程度である。
【００２５】
この落ち込み凹部３１は、プレス加工によって形成する。濾目穴のプレス加工で出来るプレスバリが、裏側（下側）に来るようにして落ち込み凹部３１を形成するプレス加工をする。プレスバリを裏側することで、落ち込み凹部３１のプレス加工の仕上がりが良くなる。また、落ち込み凹部３１に溜まる残滓がプレスバリに引っ掛からず、残滓の廃棄が容易にできる。
【００２６】
残滓フイルタ３０は、周縁に縁取り部３２を有する。縁取り部３２は合成樹脂でモールド成型される。この縁取り部３２で、残滓フイルタ３０の周縁を覆うことで、薄いステンレス鋼板の角がなくなり、取り扱いの面で安全である。
【００２７】
取っ手３３は、縁取り部３２と同じ合成樹脂で一体に形成される。この取っ手３３が洗浄槽２の前側の開口部に来るようにして、残滓フイルタ３０はフイルタ支持部３１にセットされる。残滓フイルタ３０の取っ手３３は、開口部に位置するので、残滓フイルタ３０の取り外しがし易く、洗浄ノズル３の回転の障害にもならない。
【００２８】
残滓フイルタ３０は、右端側（洗浄水の流れ方向に対して先側）に浮き上がり防止用の錘３４を有する。錘３４は縁取り部３２と同じ合成樹脂で一体にモールドされる。この錘３４により、滓フイルタ３０は食器洗い機の運転中に浮き上がって、フイルタ支持部３１から外れることがなく、運転支障が抑えられる。
【００２９】
残滓フイルタ３０は、落ち込み凹部３１の回りが平坦である。この落ち込み凹部３１を除く平坦部に存在する残滓フイルタの濾目穴の総面積が前記流出口２１の流通面積より大きくしている。
【００３０】
残滓フイルタ３０がフイルタ支持部３１にセットされた状態では、落ち込み凹部３１の下側に流出口２１が位置し、かつ落ち込み凹部３１と流出口２１が向き合う。落ち込み凹部３１は下方に１５ｍｍ程度下がっているが、流出部位２０が流出口２１に向かって下がるように傾斜しているので、落ち込み凹部３１の底が流出部位２０に当接することがない。
【００３１】
流出口２１の流通総面積は、図８に示すようにＳ1である。流通総面積とは、格子２２を除いた流出口２１のところだけの面積である。環状の周縁流通総面積はＳ２である。環状の周縁流通総面積は、落ち込み凹部３１の底部周縁と流出口２１との上下隙間によって形成される環状の周縁流通の総面積を指す。周縁流通総面積Ｓ２は、流通総面積Ｓ１より大きくなっている。落ち込み凹部３１が滓で一杯になると、落ち込み凹部３１を洗浄水が通過しなくなるので、洗浄水は周縁流通から流出口２１に流れる。
【００３２】
次に本発明の実施例を主として動作の面から説明する。
【００３３】
洗浄運転に先立ち、洗浄水の給水が行われる。給水の定量は２．８リットル程度である。洗浄運転が行われる前に、貯留部６に溜まる洗浄水の給水水位は、ほぼ貯留部６の高さ一杯である。つまり、洗浄水の給水水位は、洗浄ノズル３が設けられる洗浄槽２の奥底側とほぼ同じ高さになる。洗浄運転時の洗浄水の洗浄水位（循環水位）は給水水位よりも低くなる。
【００３４】
洗浄運転時の洗浄水の流れについて、残滓フイルタ３０に関連して述べる。
【００３５】
ヒータカバー９の上面は、洗浄ノズル３が設けられる洗浄槽２の奥底側よりも低いので、大部分の洗浄水は洗浄槽２の奥底側からヒータカバー９の上面に流れる。この上面に流れた洗浄水は、ヒータカバー９の通気穴１０を通過して貯留部６の底に近いところを流れて残滓フイルタ３０に流れ込む流れと、ヒータカバー９の上を流れて残滓フイルタ３０に流れ込む流れに分かれる。貯留部６の底に近いところを流れを洗浄水の主流と言う。
【００３６】
また、洗浄槽２の奥底側から貯留部６の左側に流れ込み、貯留部６の底を流れて残滓フイルタ３０に流れる洗浄水の流れは、上述して通気穴１０を通過して貯留部６の底を流れに加わって主流の流れと一緒になる。
【００３７】
更に洗浄槽２の奥底側から直ぐに残滓フイルタ３０に流れ込む洗浄水の流れもある。
【００３８】
上記のような主流の流れに対して残滓フイルタ３０が逆らうように設置されている。すなわち、残滓フイルタ３０は、洗浄水（洗浄水の主流）の流れに対して手前を下に，先側を上になるように傾けられている。洗浄水の流速は手前側が早いので、固形物の残滓は坂を登るように先側に流されて滞留する。このため、手前の部分は残滓が滞らない距離範囲に平坦部を設けている。この平坦部の後方部分に落ち込み凹部３１が設けられているので、残滓の固形分が落ち込むようにして捕集される。落ち込み凹部３１の容積は、一回の洗浄運転で、出る残滓の固形分を溜める程度の大きさで足りるが、充分余裕をもった大きさにすることが望ましい。
【００３９】
特に、固形分の残滓は落ち込み凹部３１の下部に堆積するので、落ち込み凹部３１の側面部の高さは洗浄水が通過する部分としては有効である。しかしながら、取付空間や製作上の問題で側面部の高さを十分に確保出来ない場合は落ち込み凹部３１を除く残滓フイルタの平坦部を洗浄水の通過部分として使用する。平坦部の濾目穴の総面積が前記流出口２１の流通面積より大きくすることで、洗浄水が滞りなく残滓フイルタを通過する。このため、落ち込み凹部３１に固形分の残滓が詰って来ても残滓フイルタを通過する洗浄水の円滑な流れは維持される。
【００４０】
残菜フイルタの落ち込み凹部３１の最下面と流出口２１との間隙を多くすることにより、流出口２１への洗浄水の流れが良くなる。すなわち、前述したように環状の周縁流通総面積Ｓ２を流出口２１の流通総面積Ｓ１より大きく設けている。落ち込み凹部３１が滓で一杯になると、落ち込み凹部３１を洗浄水が通過しなくなっても、周縁流通の周縁流通総面積Ｓ２を流出口２１の流通総面積Ｓ１より大きいので、周縁流通から流出口２１への流れは良く流れるのである。
【００４１】
また、残滓フイルタの落ち込み凹部３１の側面部は水流の流れ方向に対しては他の側面部より傾斜を大きくして、固形物の残滓が側壁を乗り越えにくくすることが望ましい。これにより、貯留部６に溜まる洗浄水の量が増して来たときに、固形物の残滓が落ち込み凹部３１から流れ出ることが抑えられる。
【００４２】
残滓フイルタの落ち込み凹部３１の全側面（４面）の傾斜を大きくすると、落ち込み凹部３１の絞りプレス加工性も悪くなるが、２面の傾斜を緩くすることにより落ち込み凹部３１の加工性が向上する。
【００４３】
落ち込み凹部の残滓捕集について更に説明を加える。
【００４４】
省資源のため洗浄水量を低減する傾向にある。給水時の水位と洗浄時の循環水位は循環経路に保持される水量の割合が多くなるため水位差が大きくなる。循環水位時にあわせて残菜フイルタの上面が循環水位の下面に保つようにすることにより残菜フイルタの全面を有効に使用している。
【００４５】
落ち込み凹部に残滓を捕集することで、洗浄水に含まれる固形物の残菜により残滓フイルタが全体的に閉塞されるのを抑えることができる。すなわち、残滓フイルタに落ち込み凹部を設けて固形物の残滓を一個所に集められ、残菜が分散して残滓フイルタの全面に固形物の残菜が付着してしまうことが解消される。これにより、洗浄水の通水性を良くした。
【００４６】
洗浄水が充分にあり、戻り水が多い時は残滓フイルタのところの水位が高くなるため、残滓が洗浄水の中に浮遊した状態になり、目詰まり生じ難く、洗浄ポンプのエアーロック現象が発生しずらい。
【００４７】
しかしながら、洗浄水量は省資源化のため少なくなる傾向にある。このため、洗浄水が少なくなり、洗浄水の戻り水の水量も少なくなり、ちょっとでも残滓フイルタで目詰まりを生じると、洗浄水の循環水量が急激に減少し、残滓フイルタから流入する水量に対して洗浄ポンプから排出される量に差を生じ残滓フイルタ部の水位が低下してエアーを巻込み易くなる。しかし、洗浄水の通過の阻害要因となる残滓の固形物は残滓フイルタ設けられた落ち込み凹部に捕集されるため、洗浄水は他の部分（平坦部）を通して通過するので洗浄ポンプがエアーを巻込むエアーロック現象を生じることを防止できる。
【図面の簡単な説明】
【００４８】
【図１】本発明の実施形態に係わる実施例を示すもので、上側扉体および下側扉体を外して食器洗い機を内部を見せた斜視図。
【図２】本発明の実施形態に係わる実施例を示すもので、洗浄槽の底側を上から見下ろした斜視図。
【図３】本発明の実施形態に係わる実施例を示すもので、洗浄槽の底側を縦に断面した縦断面図。
【図４】本発明の実施形態に係わる実施例を示すもので、貯留部の流出部位を拡大した斜視図。
【図５】本発明の実施形態に係わる実施例を示すもので、残滓フイルタの斜視図。
【図６】本発明の実施形態に係わる実施例を示すもので、図５のＡ−Ａ断面図。
【図７】本発明の実施形態に係わる実施例を示すもので、図５のＢ−Ｂ断面図。
【図８】本発明の実施形態に係わる実施例を示すもので、図３に示す残滓フイルタ回りの拡大図。
【符号の説明】
【００４９】
２…洗浄槽、３…洗浄ノズル、６…貯留部、３０…残滓フイルタ、３１…落ち込み凹部。
【図１】
2005270246.tif 000003
【図２】
2005270246.tif 000004
【図３】
2005270246.tif 000005
【図４】
2005270246.tif 000006
【図５】
2005270246.tif 000007
【図６】
2005270246.tif 000008
【図７】
2005270246.tif 000009
【図８】
2005270246.tif 000010